(57)【要約】【課題】ユーザの個人情報に絞った情報を提供できる好み保存サーバの実現を目的とする。【解決手段】情報処理部３２は、入出力制御部３１からユーザの個人情報を受信し、ユーザの個人情報に対応するＩＤを取得し、ユーザの個人情報をＩＤと共にデータベース部３４に格納し、入出力制御部３１及びデータ通信網２を介してユーザの個人情報に対応するＩＤを、ユーザ端末1−1に返信する。端末１−１のユーザは、ＩＤを入力して、情報提供サイト４において自己の好みの情報を検索する。情報処理部３２は、ユーザが入力したＩＤによるユーザの個人情報に関する検索を情報提供サイト４から受け、ＩＤに対応するユーザの個人情報をデータベース部３４から抽出し、入出力制御部３１及びデータ通信網２を介して情報提供サイト４に返信する。情報提供サイト４は、ユーザの好みに絞った情報の提供に使用するユーザの個人情報好みをユーザに返信する。【選択図】図１
2006309496.tif 000002
【特許請求の範囲】
【請求項１】
ユーザ端末から入力される取得を希望する情報に関するユーザの個人情報を保存する好み保存サーバであって、
前記ユーザの個人情報が前記ユーザ端末から入力される入力手段と、
前記ユーザの個人情報に対応するＩＤを生成する生成手段と、
前記ユーザの個人情報及びＩＤを格納する格納手段と、
前記ＩＤを前記ユーザ端末に返信する返信手段とを具え、
前記ＩＤが前記ユーザ端末から情報提供サイトに入力されることによって、前記ユーザの個人情報に関する検索を行い、前記好み保存サーバが、前記ＩＤに対応するユーザの個人情報を、前記検索に応じて前記格納手段から抽出して前記情報提供サイトに返信し、前記情報提供サイトが、前記好み保存サーバから受信する前記ユーザの個人情報を利用してユーザの個人情報好みを前記ユーザ端末に送信することを特徴とする好み保存サーバ。
【請求項２】
前記入力手段に入力される前記ユーザの個人情報が、前記好み保存サーバが提示する予め定められた好みの項目の中から選択されることを特徴とする請求項１記載の好み保存サーバ。
【請求項３】
前記格納手段に格納される前記ユーザの個人情報が、前記ユーザ端末を介して変更可能であり、前記ユーザ端末を介して前記ユーザの個人情報を変更する度に前記ユーザの個人情報に対応するＩＤを変更することを特徴とする請求項１又は２記載の好み保存サーバ。
【請求項４】
ユーザ端末と、
前記ユーザ端末から入力される取得を希望する情報に関するユーザの個人情報を保存する好み保存サーバと、
前記ＩＤが前記ユーザ端末から入力されることによって、前記ユーザの個人情報に関する検索を行う情報提供サイトとを具え、
前記好み保存サーバが、
前記ユーザの個人情報が前記ユーザ端末から入力される入力手段と、
前記ユーザの個人情報に対応するＩＤを生成する生成手段と、
前記ユーザの個人情報及びＩＤを格納する格納手段と、
前記ＩＤを前記ユーザ端末に返信する返信手段とを具え、
前記好み保存サーバが、前記ＩＤに対応するユーザの個人情報を、前記検索に応じて前記格納手段から抽出して前記情報提供サイトに返信し、前記情報提供サイトが、前記好み保存サーバから受信する前記ユーザの個人情報を利用してユーザの個人情報好みを前記ユーザ端末に送信することを特徴とするシステム。
【請求項５】
前記入力手段に入力される前記ユーザの個人情報が、前記好み保存サーバが提示する予め定められた好みの項目の中から選択されることを特徴とする請求項４記載のシステム。
【請求項６】
前記格納手段に格納される前記ユーザの個人情報が、前記ユーザ端末を介して変更可能であり、前記ユーザ端末を介して前記ユーザの個人情報を変更する度に前記ユーザの個人情報に対応するＩＤを変更することを特徴とする請求項４又は５記載のシステム。
【発明の詳細な説明】
【技術分野】
【０００１】
本発明は、取得を希望する情報に関するユーザの個人情報を入力し、その際にユーザの個人情報に対応するＩＤを取得し、企業等の情報提供サイトから好みの情報を検索する際にＩＤを入力することにより、情報提供サイトが、ユーザの保存する取得を希望する情報に関するユーザの個人情報を検索し、ユーザの好みを使用してユーザの個人情報に絞った情報を提供する好み保存サーバ及びそれを有するシステムに関する。
【背景技術】
【０００２】
従来の情報提供サービスでは、希望に沿う情報を得るために簡単なキーワード（例えば、テニス）を選択して入力し、情報検索の結果、希望に沿う情報をユーザに提供するようにしている。
【発明の開示】
【発明が解決しようとする課題】
【０００３】
しかしながら、従来の情報提供サービスでは、入力するキーワードが簡単なために、情報検索の結果、ユーザに提供される情報は多いが、必ずしもユーザの希望する情報が提供されず、希望に沿う情報を得るためのキーワードの選択がユーザに取って困難である、という課題があった。
【０００４】
本発明は、上記課題を解決しながらユーザの個人情報に絞った情報の提供を可能にする好み保存サーバ及びそれを有するシステムの実現を目的とする。
【課題を解決するための手段】
【０００５】
本発明による好み保存サーバは、
ユーザ端末から入力される取得を希望する情報に関するユーザの個人情報を保存する好み保存サーバであって、
前記ユーザの個人情報が前記ユーザ端末から入力される入力手段と、
前記ユーザの個人情報に対応するＩＤを生成する生成手段と、
前記ユーザの個人情報及びＩＤを格納する格納手段と、
前記ＩＤを前記ユーザ端末に返信する返信手段とを具え、
前記ＩＤが前記ユーザ端末から情報提供サイトに入力されることによって、前記ユーザの個人情報に関する検索を行い、前記好み保存サーバが、前記ＩＤに対応するユーザの個人情報を、前記検索に応じて前記格納手段から抽出して前記情報提供サイトに返信し、前記情報提供サイトが、前記好み保存サーバから受信する前記ユーザの個人情報を利用してユーザの個人情報好みを前記ユーザ端末に送信することを特徴とする。
【０００６】
本発明によるシステムは、
ユーザ端末と、
前記ユーザ端末から入力される取得を希望する情報に関するユーザの個人情報を保存する好み保存サーバと、
前記ＩＤが前記ユーザ端末から入力されることによって、前記ユーザの個人情報に関する検索を行う情報提供サイトとを具え、
前記好み保存サーバが、
前記ユーザの個人情報が前記ユーザ端末から入力される入力手段と、
前記ユーザの個人情報に対応するＩＤを生成する生成手段と、
前記ユーザの個人情報及びＩＤを格納する格納手段と、
前記ＩＤを前記ユーザ端末に返信する返信手段とを具え、
前記好み保存サーバが、前記ＩＤに対応するユーザの個人情報を、前記検索に応じて前記格納手段から抽出して前記情報提供サイトに返信し、前記情報提供サイトが、前記好み保存サーバから受信する前記ユーザの個人情報を利用してユーザの個人情報好みを前記ユーザ端末に送信することを特徴とする。
【発明の効果】
【０００７】
本発明によれば、ユーザ端末から入力される取得を希望する情報に関するユーザの個人情報がユーザ端末から入力され、ユーザの個人情報に対応するＩＤを生成し、ユーザの個人情報及びＩＤを格納するとともに、ＩＤをユーザ端末に返信する。ＩＤがユーザ端末から情報提供サイトに入力されることによって、ユーザの個人情報に関する検索を行い、好み保存サーバが、ＩＤに対応するユーザの個人情報を、検索に応じて格納手段から抽出して情報提供サイトに返信し、情報提供サイトが、好み保存サーバから受信するユーザの個人情報を利用してユーザの個人情報好みをユーザ端末に送信する。
【０００８】
これによって、上記課題を解決しながらユーザの個人情報に絞った情報の提供を可能にし、ユーザのネットサーフィングにおける操作性の向上、名前や住所などを公開することのない匿名によるユーザの個人情報の好み保存サーバにおける保存、ユーザに的確な情報を提供することにより情報提供サイトを運営する企業等へのビジネスチャンスの創出、及び情報提供サイトを運営する企業等の出資による好み保存サーバ運営会社の創設を実現する手段を提供する効果がある。
【０００９】
前記入力手段に入力される前記ユーザの個人情報が、前記好み保存サーバが提示する予め定められた好みの項目の中から選択されると、ユーザの個人情報を入力する際に名前や住所を含むユーザの秘匿性情報を入力する必要がなくなる。また、前記格納手段に格納される前記ユーザの個人情報が、前記ユーザ端末を介して変更可能であり、前記ユーザ端末を介して前記ユーザの個人情報を変更する度に前記ユーザの個人情報に対応するＩＤを変更することもできる。
【発明を実施するための最良の形態】
【００１０】
本発明による好み保存サーバの実施の形態を、図面を参照して詳細に説明する。
以下では、ユーザ端末１−１を有するユーザが個人情報（自己の好み）を保存して、自己の好みに適合する情報の検索を行う場合について説明する。
図１は、本発明による好み保存サーバの実施環境を説明する図である。図１において、１−１〜１−ｎは、ユーザ端末を表し、２は、データ通信網を表し、３は、好み保存サーバを表し、４は、情報提供サイトを表す。
【００１１】
データ通信網２における点線は、取得を希望する情報に関するユーザの個人情報（例えば「趣味：テニス、好きなラケットの厚さ：薄い、好きなガットテンション：６０ポンド」などの趣味に関する情報）の好み保存サーバ3への保存と、ユーザの保存した取得を希望する情報に関するユーザの個人情報に対応するＩＤの好み保存サーバ３からの受信を示す。また、データ通信網２における実線は、好み保存サーバ３から受信したＩＤを用いたユーザの情報提供サイトにおける情報検索に関連する動作及び情報転送を示す。
【００１２】
図２は、本発明による好み保存サーバの構成概要を説明する図である。図２において、３１は、入出力制御部を表し、３２は、情報処理部を表し、３３は、ＩＤ生成部を表し、３４は、データベース部を表す。
【００１３】
端末１−１を有するユーザは、ユーザ端末１−１、データ通信網２及び好み保存サーバ３の入出力制御部３１を介して情報処理部３２にアクセスし、取得を希望する情報に関するユーザの個人情報を入力する。
【００１４】
個人情報の入力に際し、好み保存サーバ3が提示する予め定められた好み項目の中からユーザの好む個人情報選択することができる。また、好み保存サーバ3が提示する予め定められた好み項目の中から選択して、ユーザの個人情報を入力する際に、名前及び住所を含むユーザの秘匿性情報を入力する必要はない。
【００１５】
情報処理部３２は、入出力制御部３１からユーザの個人情報を受信し、ＩＤ生成部３３にアクセスし、ＩＤ生成部３３の生成する、ユーザ端末１−１から受信したユーザの個人情報に対応するＩＤを取得し、ユーザの個人情報をＩＤと共にデータベース部３４に格納し、入出力制御部３１及びデータ通信網２を介してユーザの個人情報に対応するＩＤを、ユーザ端末1−1に返信する。
【００１６】
端末１−１のユーザは、ユーザ端末１−１及びデータ通信網２を介して情報提供サイト４にアクセスし、その後、好み保存サーバ３から受信したＩＤを入力して、情報提供サイト４において自己の好みの情報を検索する。
【００１７】
情報処理部３２は、ユーザが入力したＩＤによるユーザの個人情報に関する検索を、データ通信網２及び入出力制御部３１を介して情報提供サイト４から受け、ＩＤに対応するユーザの個人情報を、データベース部３４から抽出し、入出力制御部３１及びデータ通信網２を介して情報提供サイト４に返信する。情報提供サイト４は、データ通信網２及びユーザ端末１−１を介して、ユーザの好みに絞った情報の提供に使用するユーザの個人情報好みをユーザに返信する。
【００１８】
なお、ユーザは、好み保存サーバ３に保存するユーザの個人情報を、ユーザ端末１−１を介して変更することができ、好み保存サーバ３は、ユーザがユーザ端末１−１を介してユーザの個人情報を変更する度に、変更された個人情報に対応するＩＤをユーザ端末１−１に返信する。
【００１９】
図３は、本発明による好み保存サーバ３又はそれに関係する装置間の動作及び情報転送のシーケンスを示す図である。ａ１〜ａ６は、以下の動作及び情報転送を示す。
ａ１：ユーザが、ユーザ端末１−１を介して好み保存サーバ３にアクセスし、取得を希望する情報に関する個人情報を入力する。
ａ２：好み保存サーバ３が、ユーザ端末１−１からユーザの個人情報を受信し、ユーザの個人情報に対応するＩＤをユーザ端末１−１に返信する。
ａ３：ユーザが、ユーザ端末１−１を介して情報提供サイト４にアクセスし、その後、好み保存サーバ３から受信したＩＤを入力して、情報提供サイト４において自己の好みの情報を検索する。
ａ４：好み保存サーバ３が、ユーザがユーザ端末１−１を介して入力したＩＤによるユーザの個人情報に関する検索を情報提供サイト４から受信する。
ａ５：好み保存サーバ３が、ユーザがユーザ端末１−１を介して入力したＩＤに対応するユーザの個人情報を抽出し、それを情報提供サイト４に返信する。
ａ６：情報提供サイト４が、好み保存サーバ３から受信するユーザの個人情報を利用して，ユーザの個人情報に絞ってユーザが取得を希望する情報をユーザ端末１−１に返信する。
【００２０】
本発明は、上記実施の形態に限定されるものではなく、幾多の変更及び変形が可能である。
【産業上の利用可能性】
【００２１】
本発明による好み保存サーバは、情報提供システムにおいてユーザへの的確な情報提供を支援するシステムとして商用に供することができる。
【図面の簡単な説明】
【００２２】
【図１】本発明による好み保存サーバの実施環境を説明する図である。
【図２】本発明による好み保存サーバの構成概要を説明する図である。
【図３】本発明による好み保存サーバの動作及び情報転送を説明する図である。
【符号の説明】
【００２３】
１−１〜１−ｎ  ユーザ端末
２  データ通信網
３  好み保存サーバ
４  情報提供サイト
３１  入出力制御部
３２  情報処理部
３３  ＩＤ生成部
３４  データベース部
【図１】
2006309496.tif 000003
【図２】
2006309496.tif 000004
【図３】
2006309496.tif 000005